(57)【要約】【課題】縦置き状態で設置スペースを低減することができる電子機器を提供する。【解決手段】光ディスク再生装置１１は、設置面２７上に設置される本体ユニット１２と、表示面１３Ａと、この表示面１３Ａとは反対側の背面１３Ｂと、を有する表示ユニット１３と、回転軸２４と旋回軸２５とを有するヒンジ部１４と、本体ユニット１２の底面１５の後部１５Ａに底面１５から突出するように本体ユニット１２に着脱可能に取り付けられるバッテリパック１６と、を具備する。バッテリパック１６は、設置面２７に当接する第１の面３７を有し、この第１の面３７は、表示ユニット１３および本体ユニット１２を、設置面２７に対して起立させた縦置き状態で保持する。【選択図】図９
2011008839.tif 000002
【特許請求の範囲】
【請求項１】
設置面上に設置される本体ユニットと、
表示面と、この表示面とは反対側の背面と、を有する表示ユニットと、
前記本体ユニットと前記表示ユニットとを連結するとともに、前記本体ユニットに対して前記表示ユニットが被さった閉位置と、前記本体ユニットに対して前記表示ユニットが起立した開位置との間で前記表示ユニットを回転可能に支持する回転軸と、前記表示面が前記本体ユニットに対向した第１の状態と、前記背面が前記本体ユニットに対向した第２の状態との間で前記表示ユニットを旋回可能に支持する旋回軸と、を有するヒンジ部と、
前記本体ユニットの底面の後部に、前記底面から突出するように前記本体ユニットに着脱可能に取り付けられるバッテリパックと、
を具備し、
前記バッテリパックは、前記設置面に当接する第１の面を有するとともに、この第１の面を前記設置面に当接させることで、前記第２の状態で前記閉位置にある前記表示ユニットおよび前記本体ユニットを、前記設置面に対して起立させた縦置き状態で保持したことを特徴とする光ディスク再生装置。
【請求項２】
前記表示ユニットおよび前記本体ユニットは、前記縦置き状態において、鉛直方向に対して一定角度傾いて起立しており、
前記バッテリパックは、前記一定角度傾いて起立した前記表示ユニットおよび前記本体ユニットが設置される設置長さの範囲内に配置されたことを特徴とする請求項１に記載の光ディスク再生装置。
【請求項３】
前記バッテリパックは、
ケースと、
前記ケースの内部で、前記第１の面に寄った位置に収容される複数のバッテリセルと、を有することを特徴とする請求項２に記載の光ディスク再生装置。
【請求項４】
前記バッテリパックは、
前記第１の面と、
前記本体ユニットが前記設置面に沿った横置き状態にあるときに前記設置面に当接する第２の面と、
前記第１の面と前記第２の面とに跨るように設けられるとともに、前記本体ユニットおよび前記表示ユニットの滑りを防止する滑り止め部材と、
を有することを特徴とする請求項３に記載の光ディスク再生装置。
【請求項５】
設置面に設置される本体ユニットと、
表示面と、この表示面とは反対側の背面と、を有する表示ユニットと、
前記本体ユニットと前記表示ユニットとを連結するとともに、前記本体ユニットに対して前記表示ユニットが被さった閉位置と、前記本体ユニットに対して前記表示ユニットが起立した開位置との間で前記表示ユニットを回転可能に支持する回転軸と、前記表示面が前記本体ユニットに対向した第１の状態と、前記背面が前記本体ユニットに対向した第２の状態との間で前記表示ユニットを旋回可能に支持する旋回軸と、を有するヒンジ部と、
前記本体ユニットの底面に着脱可能に取り付けられるバッテリパックと、
を具備し、
前記バッテリパックは、パック本体と、このパック本体に対して回動可能に設けられるとともに前記設置面に当接するスタンド部を有し、このスタンド部は、前記第２の状態で前記閉位置にある前記表示ユニットおよび前記本体ユニットを、前記設置面に対して起立させた縦置き状態で保持したことを特徴とする光ディスク再生装置。
【請求項６】
前記表示ユニット、前記本体ユニットおよび前記パック本体は、前記縦置き状態において、鉛直方向に対して一定角度傾いて起立しており、
前記スタンド部は、前記一定角度傾いて起立した前記表示ユニット、前記本体ユニットおよび前記パック本体が設置される設置長さの範囲内に配置されたことを特徴とする請求項５に記載の光ディスク再生装置。
【発明の詳細な説明】
【技術分野】
【０００１】
本発明は、縦置き状態の本体を支持するスタンドを備えた光ディスク再生装置に関する。
【背景技術】
【０００２】
自立させて視聴することが可能なモニタ装置が開示されている。このモニタ装置は、本体と、本体の背面に設けられる凹部と、凹部内に設けられるスタンド一体型充電装置と、凹部の内面とスタンド一体型充電装置との間に介在されるヒンジ部と、を備えている。スタンド一体型充電装置は、バッテリおよび充電回路を収納しており、ヒンジ部によって回動可能に支持されている。このとき、スタンド一体型充電装置内でバッテリの収納部は、充電回路の収納部よりも上側に配置されている。また、このスタンド一体型充電装置は、ヒンジ部から取り外すこともできる。
【０００３】
このモニタ装置では、充電回路がスタンド一体型充電装置に収納されているため、充電回路を本体から分離して、充電回路から発生する熱を効率的に放熱できるとしている（例えば、特許文献１参照）。
【先行技術文献】
【特許文献】
【０００４】
【特許文献１】特開２００５−２１８２８９号公報
【発明の概要】
【発明が解決しようとする課題】
【０００５】
しかしながら、上記従来のモニタ装置では、スタンド一体型充電装置内において、重量の大きいバッテリが充電回路よりも上側の位置に収納されている。このため、スタンド一体型充電装置の重心が高くなっており、スタンド一体型充電装置の安定性に欠けている。このため、本体を縦置き状態で安定的に支持するためには、本体に対してスタンド一体型充電装置を十分な角度で展開する必要がある。このため、モニタ装置を例えば机などに設置して視聴する場合には、設置面積が大きくなっていた。
【０００６】
本発明の目的は、縦置き状態で設置スペースを低減することができる電子機器を提供することにある。
【課題を解決するための手段】
【０００７】
前記目的を達成するため、本発明の一つの形態に係る光ディスク再生装置は、設置面上に設置される本体ユニットと、表示面と、この表示面とは反対側の背面と、を有する表示ユニットと、前記本体ユニットと前記表示ユニットとを連結するとともに、前記本体ユニットに対して前記表示ユニットが被さった閉位置と、前記本体ユニットに対して前記表示ユニットが起立した開位置との間で前記表示ユニットを回転可能に支持する回転軸と、前記表示面が前記本体ユニットに対向した第１の状態と、前記背面が前記本体ユニットに対向した第２の状態との間で前記表示ユニットを旋回可能に支持する旋回軸と、を有するヒンジ部と、前記本体ユニットの底面の後部に、前記底面から突出するように前記本体ユニットに着脱可能に取り付けられるバッテリパックと、を具備し、前記バッテリパックは、前記設置面に当接する第１の面を有し、この第１の面は、前記第２の状態で前記閉位置にある前記表示ユニットおよび前記本体ユニットを、前記設置面に対して起立させた縦置き状態で保持する。
【発明の効果】
【０００８】
上記の構成によれば、縦置き状態で設置スペースを低減することができる電子機器を提供できる。
【図面の簡単な説明】
【０００９】
【図１】第１の実施形態に係る光ディスク再生装置を示す斜視図。
【図２】図１に示す光ディスク再生装置に設けられるヒンジ部を示す斜視図。
【図３】図１に示す光ディスク再生装置のバッテリパックを示す斜視図。
【図４】図３に示すバッテリパックを他の角度から示した斜視図。
【図５】図１に示す光ディスク再生装置の表示ユニットが旋回を開始した状態を示した斜視図。
【図６】図５に示す光ディスク再生装置が第２の状態で、開位置にある状態を示した斜視図。
【図７】図５に示す光ディスク再生装置が第２の状態で、閉位置にある状態で、表示ユニットおよび本体ユニットを縦置き状態にして示した斜視図。
【図８】図７に示す光ディスク再生装置を後ろ方向から示した斜視図。
【図９】図８に示す光ディスク再生装置を横方向から示した側面図。
【図１０】第２の実施形態に係る光ディスク再生装置を後ろ方向から示した斜視図。
【図１１】図１０に示す光ディスク再生装置を横方向から示した側面図。
【発明を実施するための形態】
【００１０】
以下に、図１から図９を参照して、光ディスク再生装置の第１の実施形態について説明する。光ディスク装置は、いわゆる携帯型のプレーヤーであり、電車等の交通手段での移動中や、旅先において、例えば映画等の視聴に用いられるものである。本実施形態において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１１】
図１に示すように、光ディスク再生装置１１は、本体ユニット１２と、表示ユニット１３と、本体ユニット１２と表示ユニット１３との間の位置でこれらを連結するヒンジ部１４と、本体ユニット１２の底面１５の後部１５Ａ（奥部）に取り付けられたバッテリパック１６と、を備えている。ヒンジ部１４は、表示ユニット１３を回転可能に支持している。
【００１２】
表示ユニット１３は、ディスプレイ２１と、ディスプレイ２１の周囲を取り囲む合成樹脂製のディスプレイキャビネット２２と、ディスプレイキャビネット２２に設けられる複数の操作ボタン２３と、を有している。ディスプレイ２１の一例として、本実施形態では、液晶ディスプレイが用いられている。表示ユニット１３は、ディスプレイ２１が設けられる表示面１３Ａと、表示面１３Ａとは反対側の背面１３Ｂと、を有している。
【００１３】
ヒンジ部１４は、図２に示すように、回転軸２４と、旋回軸２５と、ベースプレート２６とを有している。回転軸２４は、軸線α方向に伸びている。回転軸２４の端部にはヒンジブラケット２４Ａが連結されており、表示ユニット１３の内部に固定されている。回転軸２４は表示ユニット１３の脚部の内部に配置されている。
【００１４】
回転軸２４は、図７に示すように、軸線αを中心に本体ユニット１２に対して表示ユニット１３を回転させることができる。この回転軸２４により、表示ユニット１３は、図７に示すように本体ユニット１２に対して被さっている閉位置Ｐ１と、図１に示すように本体ユニット１２に対して起立している開位置Ｐ２と、の間で回転できる。
【００１５】
旋回軸２５は、その軸線βを中心に回転軸２４を旋回できるように、回転軸２４に連結されている。軸線βは、本体ユニット１２の上面の法線Ａに対して本体ユニット１２の後方向に傾倒している。このため、表示ユニット１３の旋回する旋回方向も水平方向に対して傾いており、表示ユニット１３を旋回させる際に表示ユニット１３の下端が本体ユニット１２に接触することが防止されている。開位置Ｐ２にある表示ユニット１３は、旋回軸２５により図１に示すように、表示面１３Ａが前方を向いており表示面１３Ａが本体ユニット１２に対向した第１の状態Ｓ１と、図６に示すように背面１３Ｂが本体ユニット１２に対向した第２の状態Ｓ２と、の間で旋回できる。ベースプレート２６は、旋回軸２５を垂直に支持している。
【００１６】
本体ユニット１２は、図１に示すように、光ディスク再生装置１１を設置面２７に沿った横置き状態にしたときに、主として設置面２７に当接される部分である。すなわち、本体ユニット１２は、合成樹脂製の筐体３１（本体キャビネット）と、筐体３１の上面に窪んで設けられ光ディスク３０が搭載される搭載部３２と、この搭載部３２を覆うカバー３３と、筐体３１の上面に設けられた複数の操作ボタン２３と、筐体３１の内部に収容されるとともに複数の回路部品を実装したプリント配線板と、を備えている。搭載部３２に搭載される光ディスクの一例としては、例えばＤＶＤ（Digital Versatile Disk）や、ＣＤ（compact disc）などがある。本体ユニット１２は、その底面１５に、バッテリパック１６を取り付けるための取付部を有している。
【００１７】
バッテリパック１６は、屋外のような電源のない場所で光ディスク再生装置１１を使用する際に用いられる。バッテリパック１６は、本体ユニット１２に対して着脱可能であり、本体ユニット１２の底面１５から突出するように本体ユニット１２に取り付けられる。バッテリパック１６は、本体ユニット１２の底面１５にある取付部を介して、本体ユニット１２に対して装着することができる。バッテリパック１６は、略三角形の形状をなしている。
【００１８】
図３と図４に示すように、バッテリパック１６は、外殻をなしている合成樹脂製のケース３４と、ケース３４の内部に収納される複数のバッテリセル３５と、ケース３４に設けられるとともに、本体ユニット１２に接続するための端子３６と、を有している。ケース３４は、第１の面３７と、第１の面３７に隣接する第２の面３８と、を有している。本体ユニット１２に取り付けられたバッテリパック１６は、第１の面３７を設置面２７に当接させることで、本体ユニット１２および表示ユニット１３を縦置き状態で保持することができる。この縦置き状態では、後述するように、表示ユニット１３および本体ユニット１２は、表示ユニット１３の背面１３Ｂが本体ユニット１２に対向した第２の状態Ｓ２で、本体ユニット１２に対して表示ユニット１３が被さった閉位置Ｐ１にある。
【００１９】
複数のバッテリセル３５は、ケース３４内部で、第１の面３７に寄った位置に配置されている。第２の面３８は、本体ユニット１２が設置面２７に沿った横置き状態にあるときに設置面２７に当接される。バッテリパック１６は、さらに、第１の面３７と第２の面３８に亘って設けられる滑り止め部材３９を有している。滑り止め部材３９は、例えば、合成ゴムのシートによって形成されており、本体ユニット１２および表示ユニット１３が設置面２７に対して滑るのを阻止することができる。
【００２０】
続いて、図１および図５から図８を参照して、本実施形態の光ディスク再生装置１１の動作について説明する。まず、図１では、表示ユニット１３は、本体ユニット１２に対して起立した開位置Ｐ２で、表示面１３Ａが本体ユニット１２に対向した第１の状態Ｓ１にある。そして、図５に示すように、ヒンジ部１４の旋回軸２５の作用によって、表示ユニット１３を例えば時計回り方向に旋回させる。この旋回の完了後には、図６に示すように、表示ユニット１３は、背面１３Ｂが本体ユニット１２に対向した第２の状態Ｓ２になる。第２の状態Ｓ２では、表示ユニット１３の前方に本体ユニット１２が見えなくなるため、ユーザは、ディスプレイ２１の画面に集中することができる。
【００２１】
さらに、図７に示すように、ヒンジ部１４の回転軸２４の作用によって、本体ユニット１２に対して表示ユニット１３が被さった閉位置Ｐ１にすることができる。図７では、本体ユニット１２および表示ユニット１３を設置面２７に対して起立させた縦置き状態を示している。このとき、図８、図９に示すように、バッテリパック１６は、第１の面３７を設置面２７に当接させることによって、本体ユニット１２および表示ユニット１３を縦置き状態で保持することができる。
【００２２】
また、図９に示すように、表示ユニット１３および本体ユニット１２は、前記縦置き状態において、鉛直方向に対して一定角度傾いて、設置面２７上で起立している。このとき、バッテリパック１６は、本体ユニット１２の幅方向Ｗと交差する前後方向において、表示ユニット１３および本体ユニット１２の設置に要する長さである設置長さＤ１の範囲内に配置されている。なお、図７に示すように、縦置き状態において、操作ボタン２３が前方に配置されているため、縦置き状態でも操作性が損なわれることがない。
【００２３】
第１の実施形態によれば、光ディスク再生装置１１は、設置面２７上に設置される本体ユニット１２と、表示面１３Ａと、この表示面１３Ａとは反対側の背面１３Ｂと、を有する表示ユニット１３と、本体ユニット１２と表示ユニット１３とを連結するとともに、本体ユニット１２に対して表示ユニット１３が被さった閉位置Ｐ１と、本体ユニット１２に対して表示ユニット１３が起立した開位置Ｐ２との間で表示ユニット１３を回転可能に支持する回転軸２４と、表示面１３Ａが本体ユニット１２に対向した第１の状態Ｓ１と、背面１３Ｂが本体ユニット１２に対向した第２の状態Ｓ２との間で表示ユニット１３を旋回可能に支持する旋回軸２５と、を有するヒンジ部１４と、本体ユニット１２の底面１５の後部１５Ａに、底面１５から突出するように本体ユニット１２に着脱可能に取り付けられるバッテリパック１６と、を具備し、バッテリパック１６は、設置面２７に当接する第１の面３７を有し、この第１の面３７は、第２の状態Ｓ２で閉位置Ｐ１にある表示ユニット１３および本体ユニット１２を、設置面２７に対して起立させた縦置き状態で保持する。
【００２４】
この構成によれば、本体ユニット１２に対して回転および旋回する表示ユニット１３を有する光ディスク再生装置１１において、バッテリパック１６をスタンドとして活用することができる。これによって、バッテリパック１６とスタンドとを別個に設ける場合に比して、構造を簡略化できるとともに、部品点数を削減することができる。
【００２５】
この場合、表示ユニット１３および本体ユニット１２は、縦置き状態において、鉛直方向に対して一定角度傾いて起立しており、バッテリパック１６は、一定角度傾いて起立した表示ユニット１３および本体ユニット１２が設置される設置長さＤ１の範囲内に配置される。この構成によれば、バッテリパック１６をスタンドとして活用したとしても、バッテリパック１６が設置長さＤ１からはみ出してしまうことがないため、縦置き状態で設置面上に占める設置スペースを低減することができる。
【００２６】
また、バッテリパック１６は、ケース３４と、ケース３４の内部で、第１の面３７に寄った位置に収容される複数のバッテリセル３５と、を有する。この構成によれば、第２の状態Ｓ２で閉位置Ｐ１にある表示ユニット１３および本体ユニット１２を縦置きした状態において、バッテリパック１６の重心を低い位置にして、本体ユニット１２および表示ユニット１３の安定性を向上することができる。これによって、本体ユニット１２からバッテリパック１６を突出させる量を小さくすることができ、縦置き状態で設置面２７上に占める設置スペースをさらに低減することができる。
【００２７】
このバッテリパック１６は、第１の面３７と、本体ユニット１２が設置面２７に沿った横置き状態にあるときに設置面２７に当接する第２の面３８と、第１の面３７と第２の面３８とに跨るように設けられるとともに、本体ユニット１２および表示ユニット１３の滑りを防止する滑り止め部材３９と、を有する。この構成によれば、縦置き状態および横置き状態のいずれの状態においても、滑り止め部材３９によって、本体ユニット１２および表示ユニット１３が設置面２７に対して滑ってしまうことを防止することができる。また、バッテリパック１６の第１の面３７と第２の面３８とに個別に滑り止め部材３９を設ける必要がなく、バッテリパック１６の組立時の組立工数を削減できるとともに、部品点数を削減することができる。
【００２８】
続いて、図１０、図１１を参照して、光ディスク再生装置の第２の実施形態について説明する。第２の実施形態の光ディスク再生装置１１は、バッテリパック１６の構成が第１の実施形態のものと異なっているが、他の部分は第１の実施形態と共通している。このため、主として異なる部分について説明し、共通する部分については共通の符号を付して説明を省略する。光ディスク再生装置１１は、図１に示す第１の実施形態のものと同様の外観を有する。
【００２９】
バッテリパック１６は、本体ユニット１２の底面１５の略全面を覆うように平板形状をなしている。バッテリパック１６は、本体ユニット１２の底面１５に着脱可能に取り付けられている。バッテリパック１６は、パック本体５１と、パック本体５１とは独立に設けられたスタンド部５２と、パック本体５１とスタンド部５２の間に設けられ、パック本体５１に対してスタンド部５２を回転可能に支持するヒンジ構造５３と、を有している。
【００３０】
パック本体５１は、ケース３４と、ケース３４の内部に収納されるバッテリセル３５と、本体ユニット１２に接続するための端子３６と、を有している。バッテリセル３５は、ケース３４の内部全体に敷き詰められている。ケース３４は、スタンド部５２を収容するための凹部５４を有している。ヒンジ構造５３は、凹部５４内の上端部に設けられている。また、凹部５４の内側にスタンド部５２が回転可能に収容される。このため、スタンド部５２がパック本体５１に対して閉じた状態において、パック本体５１の底面１５とスタンド部５２とが面一になり、スタンド部５２がパック本体５１から突出しないようになっている。
【００３１】
図１１を参照して、本実施形態のバッテリパック１６の作用について説明する。ヒンジ構造５３によってパック本体５１に対してスタンド部５２を展開させると、スタンド部５２は、第２の状態Ｓ２で閉位置Ｐ１にある表示ユニット１３および本体ユニット１２を、鉛直方向に対して一定角度傾いた縦置き状態で保持できる。このとき、バッテリパック１６は、本体ユニット１２の幅方向Ｗと交差する前後方向において、表示ユニット１３、本体ユニット１２、およびパック本体５１の設置に要する長さである設置長さＤ２の範囲内に配置されている。
【００３２】
第２の実施形態によれば、光ディスク再生装置１１は、横置き状態で設置面２７に設置される本体ユニット１２と、表示面１３Ａと、この表示面１３Ａとは反対側の背面１３Ｂと、を有する表示ユニット１３と、本体ユニット１２と表示ユニット１３とを連結するとともに、本体ユニット１２に対して表示ユニット１３が被さった閉位置Ｐ１と、本体ユニット１２に対して表示ユニット１３が起立した開位置Ｐ２との間で表示ユニット１３を回転可能に支持する回転軸２４と、表示面１３Ａが本体ユニット１２に対向した第１の状態Ｓ１と、背面１３Ｂが本体ユニット１２に対向した第２の状態Ｓ２との間で表示ユニット１３を旋回可能に支持する旋回軸２５と、を有するヒンジ部１４と、本体ユニット１２の底面に着脱可能に取り付けられるバッテリパック１６と、を具備し、バッテリパック１６は、パック本体５１と、このパック本体５１に対して回動可能に設けられるとともに設置面２７に当接するスタンド部５２を有し、このスタンド部５２は、第２の状態Ｓ２で閉位置Ｐ１にある表示ユニット１３および本体ユニット１２を、設置面２７に対して起立した縦置き状態で保持する。
【００３３】
この構成によれば、本体ユニット１２に対して回転および旋回する表示ユニット１３を有する光ディスク再生装置１１において、バッテリパック１６をスタンドとして活用することができる。これによって、バッテリパック１６とスタンドとを別個に設ける場合に比して、構造を簡略化できるとともに部品点数を削減することができる。
【００３４】
この場合、表示ユニット１３、本体ユニット１２およびパック本体５１は、縦置き状態において、鉛直方向に対して一定角度傾いて起立しており、バッテリパック１６は、一定角度傾いて起立した表示ユニット１３、本体ユニット１２およびパック本体５１が設置される設置長さＤ２の範囲内に配置される。この構成によれば、バッテリパック１６をスタンドとして活用したとしても、バッテリパック１６が設置長さＤ２からはみ出してしまうことがなく、縦置き状態で設置面２７上に占める設置スペースを低減することができる。
【００３５】
その他、光ディスク再生装置は、発明の要旨を逸脱しない範囲で種々変形して実施できることは勿論である。また、上記光ディスク再生装置１１では、バッテリパック１６のみを電源として駆動する場合を例に説明したが、電源ケーブルを用いて家庭用の電源と直接接続して、家庭用電源と併用して使用することもできる。
【符号の説明】
【００３６】
１１…光ディスク再生装置、１２…本体ユニット、１３…表示ユニット、１３Ａ…表示面、１３Ｂ…背面、１４…ヒンジ部、１５…底面、１５Ａ…後部、１６…バッテリパック、２４…回転軸、２５…旋回軸、２７…設置面、３４…ケース、３５…バッテリセル、３７…第１の面、３８…第２の面、３９…滑り止め部材、５１…パック本体、５２…スタンド部、Ｐ１…閉位置、Ｐ２…開位置、Ｓ１…第１の状態、Ｓ２…第２の状態
【図１】
2011008839.tif 000003
【図２】
2011008839.tif 000004
【図３】
2011008839.tif 000005
【図４】
2011008839.tif 000006
【図５】
2011008839.tif 000007
【図６】
2011008839.tif 000008
【図７】
2011008839.tif 000009
【図８】
2011008839.tif 000010
【図９】
2011008839.tif 000011
【図１０】
2011008839.tif 000012
【図１１】
2011008839.tif 000013